(57)【要約】【課題】加湿ファンの駆動用に一定回転速度のモータを用いて、簡単な構成で加湿風量を調整できる加湿装置を提供する。【解決手段】  吸湿通路と、吸湿通路内に吸着領域が配置される加湿ロータ１２と、加湿ロータ１２の脱着領域が配置される加湿通路と、その加湿通路に空気を送風する加湿ファン１４と、加湿通路内かつ加湿ロータ１２の脱着領域よりも上流側に配置されたヒータ１３と、加湿通路内かつ加湿ロータ１２の脱着領域よりも下流側に配置された切換ダンパ部１５のダンパと、加湿ロータ１２と加湿ファン１４とヒータ１３およびダンパを制御する制御装置とを備える。上記制御装置は、切換ダンパ部１５のダンパの開度を制御することにより加湿風量を制御する。【選択図】図２Ａ
2010169323.tif 000002
【特許請求の範囲】
【請求項１】
吸湿通路と、
上記吸湿通路内に吸着領域が配置される加湿ロータ(１２)と、
上記加湿ロータ(１２)の脱着領域が配置される加湿通路と、
上記加湿通路に空気を送風する加湿ファン(１４)と、
上記加湿通路内かつ上記加湿ロータ(１２)の脱着領域よりも上流側に配置されたヒータ(１３)と、
上記加湿通路内かつ上記加湿ロータ(１２)の脱着領域よりも下流側に配置されたダンパ(４５)と、
上記加湿ロータ(１２)と上記加湿ファン(１４)と上記ヒータ(１３)および上記ダンパ(４５)を制御する制御装置(１００)と
を備え、
上記制御装置(１００)は、上記ダンパ(４５)の開度を制御することにより加湿風量を制御することを特徴とする加湿装置。
【請求項２】
請求項１に記載の加湿装置において、
上記ダンパ(４５)の全閉時に上記加湿ファン(１４)から外部に空気を抜く通路を設けたことを特徴とする加湿装置。
【請求項３】
請求項１または２に記載の加湿装置において、
上記加湿ファン(１４)の回転速度が一定であることを特徴とする加湿装置。
【請求項４】
請求項１から３までのいずれか１つに記載の加湿装置において、
上記ダンパ(４５)の全閉時に上記加湿ファン(１４)を停止することを特徴とする加湿装置。
【請求項５】
請求項１から４までのいずれか１つに記載の加湿装置において、
上記ダンパ(４５)は、スライド型ダンパであり、直線または曲線に沿ってスライドすることにより開度を調整可能であることを特徴とする加湿装置。
【請求項６】
請求項５に記載の加湿装置において、
上記スライド型ダンパは、スライド方向に全閉位置と全開位置を有し、上記全閉位置との上記全開位置との間のスライド量を制御することにより開度を制御することを特徴とする加湿装置。
【請求項７】
請求項５または６に記載の加湿装置において、
上記スライド型ダンパは、外気を上記加湿ファン(１４)により吸い込んで上記加湿通路を介して室内に給気するための給気全開位置と、室内の空気を上記加湿ファン(１４)により吸い込んで上記加湿通路を介して室外に排気するための排気全開位置とを有すると共に、上記給気全開位置と上記排気全開位置との間の略中間に上記加湿通路を全閉する全閉位置を有し、
上記制御装置(１００)は、上記給気全開位置と上記排気全開位置との間のスライド量を制御することにより給気時の開度と排気時の開度を制御することを特徴とする加湿装置。
【請求項８】
請求項１から４までのいずれか１つに記載の加湿装置において、
上記ダンパ(４５)は、扁平な回転型ダンパであり、回転することにより開度を調整可能であることを特徴とする加湿装置。
【請求項９】
請求項８に記載の加湿装置において、
上記回転型ダンパは、回転方向に全閉位置と全開位置を有し、上記全閉位置との上記全開位置との間の回転角度を制御することにより開度を制御することを特徴とする加湿装置。
【請求項１０】
請求項８または９に記載の加湿装置において、
上記回転型ダンパは、外気を上記加湿ファン(１４)により吸い込んで上記加湿通路を介して室内に給気するための給気全開位置と、室内の空気を上記加湿ファン(１４)により吸い込んで上記加湿通路を介して室外に排気するための排気全開位置とを有すると共に、上記給気全開位置と上記排気全開位置との間の略中間に上記加湿通路を全閉する全閉位置を有し、
上記制御装置(１００)は、上記給気全開位置と上記排気全開位置との間の回転角度を制御することにより給気時の開度と排気時の開度を制御することを特徴とする加湿装置。
【発明の詳細な説明】
【技術分野】
【０００１】
この発明は、加湿装置に関する。
【背景技術】
【０００２】
従来、加湿装置としては、加湿能力が必要なときは、加湿ファンの回転速度を速くして加湿風量を多くする一方、加湿能力が十分なときは、加湿ファンの回転速度を遅くして加湿風量を少なくするものがある(例えば、特開２００４−７７０８２号公報(特許文献１)参照)。
【０００３】
ところが、上記加湿装置では、加湿風量の調整を加湿ファンの回転速度で調整しなければならないため、加湿ファンの駆動用に一定回転速度の安価なモータを採用してコストを低減することができないという問題がある。
【特許文献１】特開２００４−７７０８２号公報
【発明の開示】
【発明が解決しようとする課題】
【０００４】
そこで、この発明の課題は、加湿ファンの駆動用に一定回転速度のモータを用いて、簡単な構成で加湿風量を調整できる加湿装置を提供することにある。
【課題を解決するための手段】
【０００５】
上記課題を解決するため、この発明の加湿装置は、
吸湿通路と、
上記吸湿通路内に吸着領域が配置される加湿ロータと、
上記加湿ロータの脱着領域が配置される加湿通路と、
上記加湿通路に空気を送風する加湿ファンと、
上記加湿通路内かつ上記加湿ロータの脱着領域よりも上流側に配置されたヒータと、
上記加湿通路内かつ上記加湿ロータの脱着領域よりも下流側に配置されたダンパと、
上記加湿ロータと上記加湿ファンと上記ヒータおよび上記ダンパを制御する制御装置と
を備え、
上記制御装置は、上記ダンパの開度を制御することにより加湿風量を制御することを特徴とする。
【０００６】
上記構成によれば、制御装置によりダンパの開度を制御して加湿風量を制御することによって、加湿ファンの駆動用に一定回転速度のモータを用いて、簡単な構成で加湿風量を調整することができる。
【０００７】
また、一実施形態の加湿装置では、
上記ダンパの全閉時に上記加湿ファンから外部に空気を抜く通路を設けた。
【０００８】
上記実施形態によれば、ダンパの全閉時に加湿ファンから送られた空気を通路から外部に逃がして、加湿ファンに過剰な負荷が掛からないようにできる。
【０００９】
また、一実施形態の加湿装置では、
上記加湿ファンの回転速度が一定である。
【００１０】
上記実施形態によれば、回転速度が一定の加湿ファンを用いることによって、安価なモータを採用してコストを低減できる。
【００１１】
また、一実施形態の加湿装置では、
上記ダンパの全閉時に上記加湿ファンを停止する。
【００１２】
上記実施形態によれば、ダンパの全閉時に加湿ファンを停止することによって、ダンパの全閉時に加湿ファンに過剰な負荷が掛からないようにできる。
【００１３】
また、一実施形態の加湿装置では、
上記ダンパは、スライド型ダンパであり、直線または曲線に沿ってスライドすることにより開度を調整可能である。
【００１４】
上記実施形態によれば、スライド型ダンパのスライド量を制御することにより開度調整が容易にできる。
【００１５】
また、一実施形態の加湿装置では、
上記スライド型ダンパは、スライド方向に全閉位置と全開位置を有し、上記全閉位置との上記全開位置との間のスライド量を制御することにより開度を制御する。
【００１６】
上記実施形態によれば、スライド型ダンパの全閉位置との全開位置との間のスライド量の制御により、容易にダンパ開度を制御できる。
【００１７】
また、一実施形態の加湿装置では、
上記スライド型ダンパは、外気を上記加湿ファンにより吸い込んで上記加湿通路を介して室内に給気するための給気全開位置と、室内の空気を上記加湿ファンにより吸い込んで上記加湿通路を介して室外に排気するための排気全開位置とを有すると共に、上記給気全開位置と上記排気全開位置との間の略中間に上記加湿通路を全閉する全閉位置を有し、
上記制御装置は、上記給気全開位置と上記排気全開位置との間のスライド量を制御することにより給気時の開度と排気時の開度を制御する。
【００１８】
上記実施形態によれば、スライド型ダンパのスライド量の制御により、給気と排気の切り換えができると共に、給気時と排気時の両方で容易にダンパ開度を制御できる。
【００１９】
また、一実施形態の加湿装置では、
上記ダンパは、扁平な回転型ダンパであり、回転することにより開度を調整可能である。
【００２０】
上記実施形態によれば、回転型ダンパの回転角度を制御することにより開度調整が容易にできる。
【００２１】
また、一実施形態の加湿装置では、
上記回転型ダンパは、回転方向に全閉位置と全開位置を有し、上記全閉位置との上記全開位置との間の回転角度を制御することにより開度を制御する。
【００２２】
上記実施形態によれば、回転型ダンパの全閉位置との全開位置との間の回転角度の制御により、容易にダンパ開度を制御できる。
【００２３】
また、一実施形態の加湿装置では、
上記回転型ダンパは、外気を上記加湿ファンにより吸い込んで上記加湿通路を介して室内に給気するための給気全開位置と、室内の空気を上記加湿ファンにより吸い込んで上記加湿通路を介して室外に排気するための排気全開位置とを有すると共に、上記給気全開位置と上記排気全開位置との間の略中間に上記加湿通路を全閉する全閉位置を有し、
上記制御装置は、上記給気全開位置と上記排気全開位置との間の回転角度を制御することにより給気時の開度と排気時の開度を制御する。
【００２４】
上記実施形態によれば、回転型ダンパの回転角度の制御により、給気と排気の切り換えができると共に、給気時と排気時の両方で容易にダンパ開度を制御できる。
【発明の効果】
【００２５】
以上より明らかなように、この発明の加湿装置によれば、加湿ファンの駆動用に一定回転速度のモータを用いて、簡単な構成で加湿風量を調整できる加湿装置を実現することができる。
【発明を実施するための最良の形態】
【００２６】
以下、この発明の加湿装置を図示の実施の形態により詳細に説明する。
【００２７】
図１はこの発明の実施の一形態の加湿装置を備えた空気調和機の概略構成図である。この空気調和機は、図１に示すように、室内機１と、上記室内機１に連絡配管(図示せず)を介して接続された室外機２と、上記室外機２上に載置され、室内機１と加湿ホース４を介して接続された加湿装置３とを備えている。上記加湿装置３において室外空気を加湿して、加湿された空気を加湿ホース４と室内機１を介して室内に供給する。
【００２８】
図２Ａは上記加湿装置３の加湿運転時の断面模式図を示しており、図２Ａに示すように、加湿装置３は、吸湿ファン１１と、上記吸湿ファン１１により吸い込まれた室外空気を通過させて水分を吸着する吸着領域と水分を脱着する脱着領域とを有する円板形状の加湿ロータ１２と、上記加湿ロータ１２の脱着領域の上流側に配置されたヒータ１３と、上記加湿ロータ１２の脱着領域の下流側に配置された加湿ファン１４と、上記ヒータ１３と加湿ロータ１２の脱着領域と加湿ファン１４を通る加湿通路の出口近傍に設けられた切換ダンパ部１５とを備えている。上記加湿ロータ１２とヒータ１３と加湿ファン１４と切換ダンパ部１５を加湿装置ケーシング１０内に配置している。
【００２９】
上記加湿ロータ１２は、シリカゲル,ゼオライト,アルミナ等の吸湿材が例えばハニカム状または多孔多粒状に成形されており、軸を中心に加湿ロータ駆動モータ３７(図３に示す)によって回転する。上記加湿ロータ１２は、吸湿ファン１１により吸い込まれた室外空気から吸湿通路を通過するときに吸着領域で吸湿する(水分を吸湿する)。一方、上記加湿通路の加湿ロータ１２よりも上流側のヒータ１３で加熱された空気が加湿ロータ１２の脱着領域を通るときに、加湿ロータ１２によって加湿される(加湿ロータ１２から水分を脱着する)。このように、室外空気から加湿ロータ１２が吸湿した水分は、ヒータ１３によって加熱された空気によって脱着されて、この空気が加湿される。そうして加湿された空気は、加湿ファン１４によって加湿ホース４(図１に示す)に送られる。
【００３０】
また、図２Ｂは上記加湿装置３の排気運転時の断面模式図を示しており、図２Ｂに示すように、室内機１の室内空気を加湿ホース４と切換ダンパ部１５を介して加湿ファン１４により吸い込んで室外に排気する。
【００３１】
次に、図３は上記空気調和機の室外機２と加湿装置３の分解斜視図である。図３において、２１はプロペラファン、２２は前面パネル、２３は閉鎖弁カバー、２４は電装品ユニット、２５は防炎板である。
【００３２】
上記室外機２は、図３に示すように、プロペラファン２１と、前面パネル２２と、閉鎖弁カバー２３と、電装品ユニット２４と、防炎板２５と、ケーシング部材や内部に収容される冷媒回路構成部品等を有する室外機本体２０で構成されている。
【００３３】
また、上記加湿装置３は、図３に示すように、室外機２上に載置された加湿装置ケーシング１０を有している。上記加湿装置ケーシング１０の前面に、複数のスリット状の開口からなる吸湿用空気吹出口１０ａを設けており、空気がこの吸湿用空気吹出口１０ａを通って室外機２の外部に吹き出す。また、加湿装置ケーシング１０の背面に、吸湿用空気吸込口１０ｂおよび給排気口１０ｃを設けている。
【００３４】
なお、加湿装置ケーシング１０の上部は、天板３１により覆われている。加湿装置ケーシング１０内は、図３の右側が加湿ロータ１２等を収容する空間、図３の左側が吸湿ファン１１等を収容する空間となっている。この加湿装置ケーシング１０内には、加湿ロータ１２、ヒータ組立体３５、加湿ファン組立体４１、切換ダンパ部１５、吸湿側ダクト３２、吸湿側ベルマウス３３、吸湿ファン１１などが配置されている。
【００３５】
この加湿ロータ１２は、加湿装置ケーシング１０側に設けられた支持軸１０ｄに、図示しないロータガイドを介して回動自在に支持されている。また、加湿ロータ１２の外周面に形成されたギヤ(図示せず)が、加湿ロータ駆動モータ３７の駆動軸に取り付けられたロータ駆動ギヤ３８と歯合している。
【００３６】
また、上記ヒータ組立体３５は、その内部にヒータ１３(図２Ａに示す)が収納されており、室外から取り込まれて加湿ロータ１２に送られる空気を加熱する。また、ヒータ組立体３５は、加湿ロータ１２の上面の略半分(右側の半分)を覆うように配置されている。ヒータ組立体３５の下面には、空気を吸入するための吸入口と、ヒータ組立体３５で加熱された空気を加湿ロータ１２側に排出するための排出口とが形成されている。このヒータ組立体３５は、ヒータ支持板３６を介して加湿ロータ１２の上方に取り付けられている。
【００３７】
また、上記加湿ファン組立体４１は、加湿ロータ１２の側方に配置されており、加湿ファン１４(図２Ａに示す)と、加湿ファン１４を一定回転速度で回転させる加湿ファンモータ４０(図４に示す)とを有する。
【００３８】
また、図４に示すように、加湿ファン組立体４１の底面を上蓋４３により閉じている。上蓋４３に空気取入口４３ａと空気吹出口４３ｂを設けている。上記空気取入口４３ａは、切換ダンパ部１５内から加湿ファン組立体４１に送られる空気が通る開口である。上記空気吹出口４３ｂは、加湿ファン組立体４１から切換ダンパ部１５内に送られる空気が通る開口である。
【００３９】
上記加湿ファン組立体４１は、給排気口１０ｃ(図３に示す)から加湿ロータ１２(図３に示す)および切換ダンパ部１５を経て室内に到る空気の流れを生成して、室外から取り入れた空気を室内機１(図１に示す)に送る(加湿運転または給気運転)。また、逆に、加湿ファン組立体４１は、室内機１から取り入れた空気を室外に排出することもできる(排気運転)。
【００４０】
また、上記加湿ファン組立体４１は、室外から取り入れた空気を室内機１に送る場合には、加湿ロータ１２を通過して加湿ロータ１２の右側の略半分の部分のうち手前側の部分から降りてきた空気を、切換ダンパ部１５を経て給排気ダクト６０に送り出す。給排気ダクト６０は、加湿ホース４(図１参照)に接続されており、加湿ファン組立体４１により、給排気ダクト６０と加湿ホース４とを介して空気を室内機１に供給する。
【００４１】
一方、上記加湿ファン組立体４１は、室内機１から取り入れた室内の空気を室外に排出する場合には、給排気ダクト６０から送られてきた空気を加湿装置ケーシング１０(図３に示す)の背面に設けられた給排気口１０ｃから室外に排出する。
【００４２】
次に、上記切換ダンパ部１５の動作について説明する。
【００４３】
切換ダンパ部１５は、第１状態(加湿運転または給気運転)、第２状態(排気運転)、第３状態(全閉状態)に切り替わる。
【００４４】
上記第１状態(加湿運転または給気運転)においては、加湿ファン組立体４１から吹き出された空気は、給排気ダクト６０(図３に示す)を経て加湿ホース４(図１に示す)を通って室内機１に供給される。
【００４５】
また、上記第２状態(排気運転)では、室内機１から加湿ホース４および給排気ダクト６０を通ってきた空気が、加湿ファン組立体４１から給排気口１０ｃを経て室外に排気される。
【００４６】
また、上記第３状態(全閉状態)では、切換ダンパ部１５と給排気ダクト６０とを繋ぐ経路が閉じられ、室外機２と室内機１との間の空気の流れが遮断される。
【００４７】
図３に示す吸湿側ダクト３２は、加湿ロータ１２の上面のうちヒータ組立体３５が位置しない部分(左側の略半分の部分)を覆っている。この吸湿側ダクト３２は、吸湿側ベルマウス３３とともに、加湿ロータ１２の左半分の部分の上面から吸湿用ファン収納空間Ｓ１の上部に通じる空気流路を形成する。
【００４８】
吸湿用ファン収納空間Ｓ１に収容される吸湿ファン１１は、吸湿ファンモータ３４によって回転する遠心ファンであり、上部に配置される吸湿側ベルマウス３３の開口部３３ａから空気を吸い込むことで、吸湿用空気吸込口１０ｂから加湿ロータ１２を介して、開口部３３ａに流れる気流を生成する。そして、吸湿ファン１１は、加湿ロータ１２を通るときに水分を吸湿された乾燥空気を吸湿用空気吹出口１０ａから加湿装置ケーシング１０の前方に向けて排気する。吸湿用ファン収納空間Ｓ１の上部に設けられた吸湿側ベルマウス３３により、吸湿側ダクト３２によって形成される空気流路を通ってくる空気を吸湿ファン１１に導く。
【００４９】
図４は切換ダンパ部１５の第１状態の分解斜視図を示しており、図４に示すように、切換ダンパ部１５は、切換ダンパケーシング４４と、スライド型ダンパの一例としてのダンパ４５と、上蓋４３と、ダンパ４５を回転駆動するダンパ駆動モータ５０(図８参照)と、ダンパ４５が正常に移動したかを検出するリミットスイッチ５１(図８参照)とで構成されている。切換ダンパ部１５は、加湿ファン組立体４１の下方に配置され、ダンパ４５が所定の円弧に沿って移動することにより空気の流れを切り換える。
【００５０】
切換ダンパケーシング４４は、ケーシング側壁４４ａとケーシング底板４４ｂを有し、上方が開放されている。ケーシング側壁４４ａは、ケーシング底板４４ｂの外縁から上方に延びて円弧状に湾曲している。また、切換ダンパケーシング４４の一部に、ケーシング側壁４４ａが存在しないケーシング側部開口４４ｃを設けて、切換ダンパケーシング４４の内部の空間は、ケーシング側部開口４４ｃによって側方に開いている。ケーシング底板４４ｂの中央付近に、ケーシング底板４４ｂから上方に突出する円弧状のレール４４ｄを設けている。このレール４４ｄとケーシング側壁４４ａとに挟まれた空間は、ダンパ４５が移動する移動空間となっている。ケーシング底板４４ｂのうちダンパ４５が通過する部分に、ケーシング底部開口４４ｅを設けている。上記ケーシング底部開口４４ｅは、ケーシング底板４４ｂの裏面に設けられた接続管４４ｆの孔と繋がっている。この接続管４４ｆに給排気ダクト６０(図５に示す)を接続している。
【００５１】
また、上蓋４３は、切換ダンパケーシング４４の上面を塞ぐ板状の部材であり、その上に加湿ファン組立体４１を取り付けている。切換ダンパ部１５内から加湿ファン組立体４１に送られる空気が通る開口である上蓋４３の空気取入口４３ａを、切換ダンパケーシング４４のケーシング底部開口４４ｅと対向するように設けている。また、加湿ファン組立体４１から切換ダンパ部１５内に送られてくる空気が通る開口である上蓋４３の空気吹出口４３ｂを、切換ダンパケーシング４４のケーシング底部開口４４ｅの上方に設けている。
【００５２】
また、ダンパ４５は、移動空間を移動することにより、切換ダンパ部１５内を通る空気の流れを切り換える部材である。上記ダンパ４５は、切換ダンパケーシング４４と上蓋４３により形成される切換ダンパケーシング４４内の空間をダンパ４５の内部の空間Ｓ２とダンパ４５の外部の空間Ｓ３とに分割する(図７Ａ〜図７Ｃ参照)。ダンパ４５は、主として、内側壁４５ａ、外側壁４５ｂ、平側壁４５ｃ,４５ｄおよび底板４５ｅで構成されている。
【００５３】
上記ダンパ４５は、上方に開口を有しており、その開口の一部が上蓋４３により覆われている。内側壁４５ａと外側壁４５ｂとは、互いに約９０度の中心角を有する円弧状に湾曲している。外側壁４５ｂは、切換ダンパケーシング４４のケーシング側壁４４ａ側に設けられ、内側壁４５ａは、切換ダンパケーシング４４のレール４４ｄ側に設けられる。また、内側壁４５ａの外面に設けられたギヤ４５ｆが、ダンパ駆動モータ５０の駆動ギヤ４６と噛み合って、ダンパ駆動モータ５０(図８に示す)の回転をダンパ４５に伝達する。
【００５４】
また、上記平側壁４５ｃ,４５ｄは、内側壁４５ａと外側壁４５ｂとの側端を繋ぐ板状の部材であり、平側壁４５ｃに側部開口４５ｇを設けている。側部開口４５ｇは、平側板４５ｃの外面に設けられた配管４５ｈの孔と繋がっている。配管４５ｈは、平側板４５ｃの外面から下方に向けて約９０度湾曲している。また、底板４５ｅに底部開口４５ｉを設けている。
【００５５】
図７Ａは図２Ａに示す要部Ａのダンパ４５が閉状態の断面模式図を示しており、ダンパ４５は、ダンパ駆動モータ５０(図４に示す)により加湿装置ケーシング１０内を水平方向に移動する。図７Ａでは、ダンパ４５が左側に移動して出口１０aを閉じている。上記加湿装置ケーシング１０内の加湿ファン１４とダンパ４５との間に温度センサ１６を配置している。すなわち、加湿通路において、温度センサ１６は、加湿ロータ１２の脱着領域の下流側に配置されている。
【００５６】
また、図７Ｂは図２Ａに示す要部Ａのダンパ４５が開状態の断面模式図を示しており、図７Ｂでは、ダンパ４５が右側に移動して出口１０aを開いている。
【００５７】
また、図７Ｃは図２Ａに示す要部Ａのダンパ４５が全閉状態の断面模式図を示している。
【００５８】
図７Ａに示すように、底部開口４５ｉが切換ダンパケーシング４４のケーシング底部開口４４ｅの真上に位置するときに、ダンパ４５の内部の空間Ｓ２が上蓋４３の空気取入口４３ａを介して加湿ファン１４側の空間と連通するように、また、図７Ｂに示すように、ダンパ４５の配管４５ｈの下方を向いている開口４５jがケーシング底板４４ｂのケーシング底部開口４４ｅの真上に位置するときに、ダンパ４５の内部の空間Ｓ２が上蓋４３の空気取入口４３ａを介して加湿ファン１４側の空間と連通するように、ダンパ４５の大きさや底部開口４５ｉの位置等を決定する。
【００５９】
なお、図７Ｄに示すように、全閉状態において、ダンパ４５の開口４５jに対応する切換ダンパケーシング４４の位置に空気抜き通路８０を設けてもよい。この場合、上記ダンパ４５の全閉時に加湿ファン１４から送られた空気を空気抜き通路８０から逃がして、加湿ファン１４に過剰な負荷が掛からないようにできる。ここで、空気抜き通路８０には、加湿通路から外部に向かって流れ出る空気流のみを許容する逆止弁(図示せず)を設けているが、空気抜き通路はこれに限らず、ダンパの全閉時に加湿ファンから外部に空気を抜く他の構造の通路であってもよい。
【００６０】
上記ダンパ駆動モータ５０は、ダンパ４５を移動させて、ダンパ４５が図５および図７Ａに示す位置にくる第１状態(加湿または給気)と、図６および図７Ｂに示す位置にくる第２状態(排気)と、図７Ｃに示す位置にくる第３状態(全閉)とを切り換える。また、ダンパ駆動モータ５０を駆動した場合にリミットスイッチ５１(図８に示す)が作動するか否かで、第１状態、第２状態および第３状態を切り換えることができたか否かを検出することができる。リミットスイッチ５１の検出信号は、制御装置１００(図８に示す)に入力される。
【００６１】
次に、切換ダンパ部１５の第１状態、第２状態および第３状態について説明する。
【００６２】
図５,図７Ａに示すように、第１状態(加湿または給気)では、ダンパ４５の内部の空間Ｓ２が、開放されている上部を介して空気吹出口４３ｂと連通し、底部開口４５ｉを介して切換ダンパケーシング４４のケーシング底部開口４４ｅと連通する。また、ダンパ４５の外部の空間Ｓ３が空気取入口４３ａと連通する。図３に示すヒータ組立体３５および加湿ロータ１２を通ってきた加湿空気(あるいは室外空気)を切換ダンパ部１５に導く通路と、ダンパ４５の外部の空間Ｓ３とは、ケーシング側部開口４４ｃを介して連通しているため、ヒータ組立体３５および加湿ロータ１２を通ってきた加湿空気(あるいは室外空気)は、加湿ファン組立体４１に収容された加湿ファン１４が回転することにより空気取入口４３ａを通って加湿ファン組立体４１の内部に入る。そして、空気吹出口４３ｂから吹き出した加湿空気あるいは室外空気は、ダンパ４５の内部の空間Ｓ２、ダンパ４５の底部開口４５ｉ、切換ダンパケーシング４４のケーシング底部開口４４ｅを通って接続管４４ｆから切換ダンパ部１５の外部に送られる。接続管４４ｆは、給排気ダクト６０(図３および図５に示す)を介して加湿ホース４(図１に示す)に接続されているため、第１状態においては、加湿ファン組立体４１の空気吹出口４３ｂから吹き出された空気は、加湿ホース４を通って室内機１に供給される。これにより、第１状態では、図５および図７Ａに示す矢印Ｒ１の向きに空気が流れ、加湿空気(あるいは室外空気)が加湿ホース４を通って室内機１側に供給される。
【００６３】
次に、図６,図７Ｂに示すように、第２状態(排気)では、接続管４４ｆ内が、配管４５ｈを介してダンパ４５内部の空間Ｓ２と連通する。また、ダンパ４５の内部の空間Ｓ２は、加湿ファン組立体４１の空気取入口４３ａを介して加湿ファン１４側の空間と連通する。さらに、加湿ファン組立体４１の空気吹出口４３ｂを介して、加湿ファン１４側の空間がダンパ４５の外部の空間Ｓ３と連通し、ケーシング側部開口４４ｃを介して室外機２(図３に示す)の外部に通じる通路につながる。
【００６４】
したがって、第２状態では、図６および図７Ｂで示す矢印Ｒ２の向きに空気が流れ、室内機１から排出され加湿ホース４を通ってきた空気が、給排気ダクト６０を通ってケーシング側部開口４４ｃから吹き出し、図３に示す加湿装置ケーシング１０の給排気口１０ｃを通って室外機２の外部に排気される。
【００６５】
次に、図７Ｃに示すように、第３状態は、ダンパ４５が第１状態と第２状態との間に位置する。この第３状態では、加湿ファン組立体４１の空気取入口４３ａを介して、加湿ファン１４側の空間がダンパ４５外部の空間Ｓ３と連通する。また、加湿ファン組立体４１の空気吹出口４３ｂを介して、加湿ファン１４側の空間がダンパ４５内部の空間Ｓ２と連通する。しかし、ダンパ４５の底部開口４５ｉおよび配管４５ｈの下方の開口４５ｊは、切換ダンパケーシング４４のケーシング底板４４ｂによって閉じられている。また、切換ダンパケーシング４４のケーシング底部開口４４ｅもダンパ４５の底板４５ｅによって閉じられている。このように、第３状態では、室外機２と室内機１とを繋ぐ空気の経路が切換ダンパ部１５により閉じられた状態となっている。
【００６６】
図８は上記加湿装置３の要部のブロック図を示しており、この加湿装置３は、図４に示すように、温度センサ１６の信号およびリミットスイッチ５１の信号に基づいて、吸湿ファンモータ３４,ヒータ１３,加湿ファンモータ４０,ダンパ駆動モータ５０および加湿ロータ駆動モータ３７などを制御する制御装置１００を備えている。上記制御装置１００は、マイクロコンピュータおよび入出力回路などからなる。
【００６７】
図９は制御装置１００の切換ダンパ部１５の制御を説明するための図を示している。図９に示すように、ダンパ４５は、原点Ｏを中心とする円弧に沿って、給気全開位置としての給気位置Ｐ１と排気全開位置としての排気位置Ｐ２との間を移動する。
【００６８】
このダンパ制御は、加湿装置３の全ての動作に先立ち実施して、空気経路を確立してから所定の加湿制御を行う。
【００６９】
図９に示すように、ダンパ４５は、全閉位置Ｐ３(図７Ｃに示す)、給気位置Ｐ１(図７Ａに示す)、排気位置Ｐ２(図７Ｂに示す)の３つの状態間を移動する。
【００７０】
〔全閉位置Ｐ３〕
加湿装置３を全く動作させない場合、加湿ホース４内に結露発生させないために、ダンパ４５を全閉位置Ｐ３にして空気流動を抑える。この全閉位置Ｐ３は、ダンパ可動範囲のほぼ中間位置にある。
【００７１】
〔給気位置Ｐ１〕
加湿運転や給気運転などの外気を導入する状態で運転する場合、給気位置Ｐ１にする。給気位置Ｐ１にダンパ４５が移動したことを確認するために、リミットスイッチ５１を設けている。ダンパ４５がリミットスイッチ５１の検知レバーに接触することで、制御装置１００は、ダンパ４５が給気位置Ｐ１に移動したことを認識する。
【００７２】
〔排気位置Ｐ２〕
排気運転や排気防カビ運転などのときは排気位置Ｐ２とする。排気位置Ｐ２に移動する場合でも、一旦給気位置Ｐ１でリミットスイッチ５１の検知レバーに接触させて、ダンパ４５可動状況を確認してから排気位置Ｐ２にダンパ４５を移動させる。
【００７３】
上記切換ダンパ部１５では、給気位置Ｐ１を原点(０パルス)とし、ダンパ駆動モータ５０(図８に示す)に駆動パルスを印加することにより、駆動パルス数に応じて給気位置Ｐ１から全閉位置Ｐ３を経て排気位置Ｐ２に移動する。
【００７４】
まず、電源投入時に、給気位置Ｐ１にダンパ４５を移動させてリミットスイッチ５１の動作を確認し、リミットスイッチ５１によりダンパ４５の動作確認できたら、そこを原点として、ダンパ駆動モータ５０(図８に示す)に駆動パルスを所定パルス数印加することにより、給気位置Ｐ１から全閉位置Ｐ３にダンパ４５移動させる。
【００７５】
次に、全閉位置Ｐ３から、給気位置Ｐ１、排気位置Ｐ２、いずれに移動する場合でも、一旦はリミットスイッチ５１によりダンパ４５の動作確認を行ってから所定の位置に移動する。
【００７６】
このとき、リミットスイッチ５１の動作が確認されなかった場合は、再試行を行い、それでもリミットスイッチ５１の動作が確認されなかった場合は、ダンパ異常として異常処理を行い、加湿装置３全体の動作を停止する(空気調和機側の動作は継続可能)
【００７７】
〔詳細動作〕
(１)  電源投入時の全閉位置Ｐ３への移動
・電源投入時はダンパ４５の位置が不明のため、原点出し(給気側移動)後に全閉位置Ｐ３に移動する。
・サスペンド復帰時は、現在のダンパ位置を全閉位置Ｐ３として、移動は行わない。すなわち、サスペンド突入前は必ずダンパ４５は全閉位置Ｐ３にあることとする。
【００７８】
ここで、「サスペンド」とは、運転停止時に待機電力カットのために、室外機への給電を遮断する機能のことである。
【００７９】
(２)  給気位置Ｐ１への移動(原点出し)
・加湿運転モードによりダンパ４５の移動を行う。
・給気位置Ｐ１はリミットスイッチ５１を検知してから増し締め量だけ駆動した位置とする。
・原点位置と給気位置Ｐ１は同じとする(原点出し＝給気位置Ｐ１への移動)。
【００８０】
(３)  排気位置Ｐ２への移動
・加湿運転モードにより、ダンパ４５を排気位置Ｐ２に移動する。
・排気位置Ｐ２への移動する場合は、一旦給気位置Ｐ１に移動(原点出し)してから排気位置Ｐ２に移動する。
・排気位置Ｐ２への移動と給気位置Ｐ１への移動指令が重なった場合は給気位置Ｐ１への移動を優先する。
【００８１】
(４)  全閉位置Ｐ３への移動
・加湿ファン１４の停止後、全閉位置Ｐ３に移動する。
【００８２】
上記構成の加湿装置３において、制御装置１００によりダンパ駆動モータ５０(図８に示す)を制御して、ダンパ４５の開度を制御することにより加湿風量を制御する。
【００８３】
例えば、ダンパ４５が給気位置Ｐ１では、ダンパ４５の第１底部開口４５i(図７Ａに示す)が、切換ダンパケーシング４４のケーシング底部開口４４ｅと重なってダンパ４５の開度が１００％となる。そして、ダンパ４５が給気位置Ｐ１から排気位置Ｐ２の方向に移動して、ダンパ４５の第１底部開口４５iが、切換ダンパケーシング４４のケーシング底部開口４４ｅが重ならなくなる位置でダンパ４５の開度が０％となる。
【００８４】
ここで、ダンパ４５の開度は、全開時の開口面積に対する開口面積の比率である。このダンパ４５の開度が０％から１００％まで変化する範囲において、ダンパ４５の開度とダンパ４５の移動量(駆動パルス数)とは比例していないが、実験または計算に基づいて、ダンパ４５の開度と移動量(駆動パルス数)との相関関係を求める。そうして求めたダンパ４５の開度と移動量(駆動パルス数)との相関関係を利用して、例えば図１０に示すように、切換ダンパ部１５のダンパ位置(駆動パルス数で表す)に対する加湿風量の特性を求めて、ダンパ４５を所望の開度に制御することにより、加湿能力を制御することが可能となる。
【００８５】
図１１は上記制御装置１００による切換ダンパ部１５の制御を説明するためのフローチャートを示している。
【００８６】
まず、切換ダンパ部１５の制御の処理がスタートすると、ステップＳ１で加湿運転を開始し、ステップＳ２に進み、加湿風量の変更指示があるか否かを判断する。
【００８７】
そして、ステップＳ２で加湿風量の変更指示があると判断すると、ステップＳ３に進む一方、加湿風量の変更指示がないと判断すると、ステップＳ２を繰り返して、加湿運転を継続する。
【００８８】
ステップＳ３で加湿風量の変更指示が「加湿風量大」であるか否かを判断して、加湿風量の変更指示が「加湿風量大」であるときは、ステップＳ４に進み、ダンパ位置を決定する駆動パルス数をｈpls(図１０に示す)として、ステップＳ２に戻る。ここで、加湿風量を変更するときは、制御装置１００によって、全閉位置を開始点として変更指示に応じた駆動パルス数をダンパ駆動モータ５０に印加する。
【００８９】
一方、ステップＳ３で加湿風量の変更指示が加湿風量大でないときは、ステップＳ５に進み、加湿風量の変更指示が「加湿風量中」であるか否かを判断して、加湿風量の変更指示が「加湿風量中」であるときは、ステップＳ６に進み、ダンパ位置を決定する駆動パルス数をｍpls(図１０に示す)として、ステップＳ２に戻る。
【００９０】
ステップＳ５で加湿風量の変更指示が「加湿風量中」でないときは、ステップＳ７に進み、ダンパ位置を決定する駆動パルス数をｓpls(図１０に示す)として、ステップＳ２に戻る。
【００９１】
上記加湿装置では、加湿風量を「大」、「中」、「小」に切り換えたが、さらに細かく加湿風量を段階的に制御してもよいし、連続的に制御してもよい。また、加湿風量だけでなく、給気運転時や排気運転時にダンパの開度を制御することにより、給気運転時の給気量や排気運転時の排気量を制御してもよい。
【００９２】
上記構成の加湿装置によれば、制御装置１００によりダンパ４５の開度を制御して加湿風量を制御することによって、加湿ファンモータ４０の回転速度一定で加湿風量を制御することができる。したがって、加湿ファン１４の駆動用に一定回転速度のモータを用いて、簡単な構成で加湿風量を調整することができ、コストを低減することができる。
【００９３】
また、上記ダンパ４５の全閉時に加湿ファン１４を停止することによって、ダンパ４５の全閉時に加湿ファン１４に過剰な負荷が掛からないようにできる。
【００９４】
また、上記回転速度が一定の加湿ファンモータ４０により加湿ファン１４を駆動することによって、安価なモータを採用してコストを低減することができる。
【００９５】
また、上記スライド型のダンパ４５のスライド量を制御することにより開度調整を容易に行うことができる。
【００９６】
また、上記スライド型のダンパ４５の全閉位置との全開位置との間のスライド量の制御により、容易にダンパ開度を制御することができる。
【００９７】
また、上記制御装置１００によって、給気全開位置と排気全開位置との間のダンパ４５のスライド量を制御して給気時の開度と排気時の開度を制御することによって、給気と排気の切り換えができると共に、給気時と排気時の両方で容易にダンパ開度を制御することができる。
【００９８】
上記実施の形態では、切換ダンパ部１５のダンパ４５を円弧曲線に沿って移動するスライド型ダンパを用いた加湿装置について説明したが、ダンパの構成はこれに限らず、他の曲線または直線に沿って移動するスライド型ダンパを用いてもよいし、例えば図１２に示す扁平な回転型ダンパを用いてもよい。
【００９９】
図１２では、切換ダンパ部は、上側ダンパケース(図示せず)と、扁平な回転型のダンパ１０２と、リミットスイッチ１０３と、下側ダンパケース１０４と、ダンパ駆動モータ１０５を備えている。
【０１００】
上記ダンパ１０２は、上側ダンパケースと下側ダンパケース１０４との間に回転可能に配置されている。また、上記ダンパ１０２は、下側ダンパケース１０４の加湿給気口１０４ａと排気口１０４ｂに対向可能な貫通孔１０２ａを有している。上記ダンパ１０２の外周面には、リミットスイッチ１０３の検知レバー１０３ａに当接可能な突起部１０９を設けている。また、上記ダンパ駆動モータ１０５の駆動軸１０５ａは、ダンパ１０２の下側の略中心に連結され、ダンパ駆動モータ１０５によりダンパ１０２を回転駆動する。
【０１０１】
上記ダンパ１０２の貫通孔１０２ａが加湿給気口１０４ａに対向する位置(給気全開位置)で、ダンパ１０２の突起部１０９がリミットスイッチ１０３の検知レバー１０３ａに当接する。また、上記ダンパ１０２の貫通孔１０２ａが排気口１０４ｂに対向する位置(排気全開位置)で、ダンパ１０２の突起部１０９がストッパー部１０４ｃに当接する。
【０１０２】
なお、図１２において、１０１はダンパ１０２の全閉時の貫通孔１０２ａを軸方向に投影した位置を示し、その投影位置１０１が、ダンパ１０２の回転にしたがって矢印Ｒ１０１に沿って全閉位置との全開位置との間を移動する。
【０１０３】
上記回転型のダンパ１０２の回転角度を制御することにより開度調整を容易に行うことができる。
【０１０４】
また、上記回転型のダンパ１０２の全閉位置との全開位置との間の回転角度の制御により、容易にダンパ開度を制御できる。
【０１０５】
また、上記制御装置１００によって、給気全開位置と排気全開位置との間の回転角度を制御することにより給気時の開度と排気時の開度を制御することによって、給気と排気の切り換えができると共に、給気時と排気時の両方で容易にダンパ開度を制御できる。
【０１０６】
上記実施の形態では、空気調和機に備えられた加湿装置について説明したが、加湿装置のみにこの発明を適用してもよい。
【図面の簡単な説明】
【０１０７】
【図１】図１はこの発明の実施の一形態の加湿装置を備えた空気調和機の概略構成図である。
【図２Ａ】図２Ａは上記加湿装置の加湿運転時の断面模式図である。
【図２Ｂ】図２Ｂは上記加湿装置の排気運転時の断面模式図である。
【図３】図３は上記空気調和機の室外機の分解斜視図である。
【図４】図４は切換ダンパ部の分解斜視図である。
【図５】図５は第１状態の切換ダンパ部における空気の流れを示す断面斜視図である。
【図６】図６は第２状態の切換ダンパ部における空気の流れを示す断面斜視図である。
【図７Ａ】図７Ａは図２Ａに示す要部の切換ダンパ部が第１状態の断面模式図である。
【図７Ｂ】図７Ｂは図２Ａに示す要部の切換ダンパ部が第２状態の断面模式図である。
【図７Ｃ】図７Ｃは図２Ａに示す要部の切換ダンパ部が第３状態の断面模式図である。
【図７Ｄ】図７Ｄは他の例の切換ダンパ部の断面模式図である。
【図８】図８は上記空気調和機の要部のブロック図である。
【図９】図９は制御装置の切換ダンパ部の制御を説明するための図である。
【図１０】図１０は上記切換ダンパ部のダンパ位置と加湿風量の関係を示す図である。
【図１１】図１１は上記切換ダンパ部の制御を説明するためのフローチャートである。
【図１２】図１２は上記加湿装置の他の切換ダンパ部の要部の斜視図である。
【符号の説明】
【０１０８】
１…室内機
２…室外機
３…加湿装置
４…加湿ホース
１０…加湿装置ケーシング
１１…吸湿ファン
１２…加湿ロータ
１３…ヒータ
１４…加湿ファン
１５…切換ダンパ部
１６…温度センサ
２０…室外機本体
２１…プロペラファン
２２…前面パネル
２３…閉鎖弁カバー
２４…電装品ユニット
２５…防炎板
３１…天板
３２…吸湿側ダクト
３３…吸湿側ベルマウス
３４…吸湿ファンモータ
３５…ヒータ組立体
３６…ヒータ支持板
３７…加湿ロータ駆動モータ
３８…ロータ駆動ギヤ
４０…加湿ファンモータ
４１…加湿ファン組立体
４３…上蓋
４３ａ…空気取入口
４３ｂ…空気吹出口
４４…切換ダンパケーシング
４５,１０２…ダンパ
４６…駆動ギヤ
５０,１０５…ダンパ駆動モータ
５１,１０３…リミットスイッチ
６０…給排気ダクト
８０…空気抜き通路
１００…制御装置
【図１】
2010169323.tif 000003
【図２Ａ】
2010169323.tif 000004
【図２Ｂ】
2010169323.tif 000005
【図３】
2010169323.tif 000006
【図４】
2010169323.tif 000007
【図５】
2010169323.tif 000008
【図６】
2010169323.tif 000009
【図７Ａ】
2010169323.tif 000010
【図７Ｂ】
2010169323.tif 000011
【図７Ｃ】
2010169323.tif 000012
【図７Ｄ】
2010169323.tif 000013
【図８】
2010169323.tif 000014
【図９】
2010169323.tif 000015
【図１０】
2010169323.tif 000016
【図１１】
2010169323.tif 000017
【図１２】
2010169323.tif 000018